(57)【要約】光情報保存媒体及びその記録方法が開示される。この開示された光情報保存媒体は、ユーザデータ領域を除いた領域に再生専用領域と記録可能な領域とを備え、ユーザデータが記録完了する度に前記記録可能な領域にディスク状態に関する情報が新たに記録されることを特徴とする。前記構成により、ユーザデータが記録完了する度に最新のディスク状態に関する情報が提供され、これにより、次に記録が行われる時、ピックアップが正確な位置に速かに接近しうる。
2005534130.tif 000002
【特許請求の範囲】
【請求項１】
ユーザデータ領域と、
再生専用領域と、ユーザデータが記録完了する度に前記記録可能な領域にディスク状態に関する情報が新たに記録される記録可能領域を含むユーザデータ領域以外の領域とを含むことを特徴とする光情報保存媒体。
【請求項２】
前記ディスク状態に関する新たな情報は、
新たなＯＰＣデータが記録された領域のアドレス、最終ドライブ情報が記録された領域のアドレス、最終ユーザデータが記録された領域のアドレス及びユーザデータが記録された後、付加記録が可能か否かを表す情報のうち、少なくとも何れか１つであることを特徴とする請求項１に記載の光情報保存媒体。
【請求項３】
前記ディスク状態に関する情報は、リードイン領域の記録可能な領域に記録されることを特徴とする請求項２に記載の光情報保存媒体。
【請求項４】
前記ディスク状態に関するデータがアップデートされる時、ディスク状態に関する情報が最終的に記録された領域に後続して、最新のディスク状態に関する情報が記録されることを特徴とする請求項２に記載の光情報保存媒体。
【請求項５】
前記最新のディスク状態に関するデータは、前記記録可能な領域にある少なくとも１バイトのビット組合わせで記録されることを特徴とする請求項４に記載の光情報保存媒体。
【請求項６】
前記ディスク状態に関する新たなデータが記録される記録可能な領域がリードイン領域にあることを特徴とする請求項１に記載の光情報保存媒体。
【請求項７】
前記ディスク状態に関する情報がアップデートされる時、ディスク状態に関する新たな情報が最終的に記録された領域に後続して、最新のディスク状態に関する情報が記録されることを特徴とする請求項１に記載の光情報保存媒体。
【請求項８】
ユーザデータ領域を除いた領域に、再生専用領域と記録可能な領域とを備えた光情報保存媒体を記録する方法であって、
ユーザデータを記録する段階と、
ユーザデータが記録完了する度に前記記録可能な領域にディスク状態に関する情報を新たに記録する段階とを含むことを特徴とする記録方法。
【請求項９】
前記ディスク状態に関する情報は、
新たなＯＰＣデータが記録された領域のアドレス、最終ドライブ情報が記録された領域のアドレス、最終ユーザデータが記録された領域のアドレス及びユーザデータが記録された後、付加記録が可能か否かを表す情報のうち、少なくとも何れか１つであることを特徴とする請求項８に記載の記録方法。
【請求項１０】
前記ディスク状態に関する新たなデータは、リードイン領域の記録可能な領域に記録されることを特徴とする請求項９に記載の記録方法。
【請求項１１】
前記ディスク状態に関するデータがアップデートされる時、ディスク状態に関する新たなデータが最終的に記録された領域に後続して、最新のディスク状態に関する情報が記録されることを特徴とする請求項９に記載の記録方法。
【請求項１２】
前記ディスク状態に関する新たなデータは、前記記録可能な領域にある少なくとも１バイトのビット組合わせで記録されることを特徴とする請求項１１に記載の記録方法。
【請求項１３】
前記ディスク状態に関する新たなデータは、リードイン領域の記録可能な領域に記録されることを特徴とする請求項８に記載の記録方法。
【請求項１４】
前記ディスク状態に関するデータがアップデートされる時、ディスク状態に関する新たなデータが最新のディスク状態に関するデータを含む領域の後続領域に記録されることを特徴とする請求項８に記載の記録方法。
【請求項１５】
前記記録可能な領域は、最適のパワー制御のためにデータを記録する最適パワー制御領域と、
ディスク状態に関するデータを記録するディスク領域と、
ドライブ関連データを記録するドライブ領域とを含むことを特徴とする請求項１に記載の光情報保存媒体。
【請求項１６】
ディスク領域及びドライブ領域各々は、１０００個以上の物理的クラスターを含むことを特徴とする請求項１５に記載の光情報保存媒体。
【請求項１７】
最適パワー制御領域で最適のパワー制御のためにデータを記録する段階と、
ディスク領域にディスク状態に関するデータを記録する段階と、
ドライブ領域にドライブ関連データを記録する段階とを含むことを特徴とする請求項８に記載の方法。
【請求項１８】
前記ディスク領域及びドライブ領域各々は、１０００個以上の物理的クラスターを含むことを特徴とする請求項８に記載の方法。
【請求項１９】
ユーザデータ領域と、
再生専用領域と、
記録可能な領域を含み、前記記録可能な領域は、
最適パワー制御のためにデータを記録する最適パワー制御領域、ユーザデータの記録が完了する度にディスク状態に関するデータを記録するディスク領域と、ドライブ関連データを記録するドライブ領域とを含むことを特徴とする光情報保存媒体。
【請求項２０】
新たに記録された最適パワー制御データを含む領域のアドレスは、記録可能な領域の所定領域に記録されることを特徴とする請求項１９に記載の光情報保存媒体。
【請求項２１】
前記ディスク状態に関するデータは、新たな最適パワー制御データを含む領域のアドレス、最新ドライブ情報が記録された領域のアドレス、最新ユーザデータが記録された領域のアドレス、及びユーザデータが記録された後に付加記録が可能か否かを表すデータを含むことを特徴とする請求項１９に記載の光情報保存媒体。
【請求項２２】
新たなデータが記録される光保存媒体上の領域に接近する方法であって、
前記光保存媒体の記録可能な領域をあらかじめ定める段階と、
既定の領域に最新記録データを含む領域のアドレスを記録する段階と、
最新記録ドライブデータを含む領域の記録されたアドレスを再生する段階とを含むことを特徴とする方法。
【請求項２３】
前記最新記録データは、ユーザデータ及びドライブデータのうち少なくとも１つであることを特徴とする請求項２２に記載の方法。
【請求項２４】
前記既定の領域に付加記録が可能か否かを表すデータを記録する段階をさらに含むことを特徴とする請求項２２に記載の方法。
【請求項２５】
光情報保存媒体の記録可能な領域であって、
最適のパワー制御のためにデータを記録する最適パワー領域と、
ユーザデータの記録が完了する度にディスク状態に関するデータを記録するディスク領域と、
ドライブ関連データを記録するドライブ領域とを含むことを特徴とする記録可能な領域。
【請求項２６】
ディスク領域とドライブ領域とが１０００個以上の物理的クラスターを含むことを特徴とする請求項２５に記載の記録可能な領域。
【請求項２７】
前記ディスク状態に関するデータは、新たな最適パワー制御データを含む領域のアドレス、最新ドライブ情報が記録された領域のアドレス、最新ユーザデータが記録された領域のアドレス、及びユーザデータが記録された後に付加記録が可能か否かを表すデータを含むことを特徴とする請求項２５に記載の記録可能な領域。
【請求項２８】
光情報保存媒体上に更新されたデータの記録を構成する方法であって、
現在のディスク状態データと異なる領域に新たなディスク状態データを記録する段階と、
記録完了が記録された後に、付加記録が可能か否かを表すデータを記録する段階とを含み、
ディスク状態に関する新たなデータがユーザデータの記録が完了する度に記録可能な領域に記録されることを特徴とする方法。
【請求項２９】
前記異なる領域は、最新記録データを含む領域の次の領域であることを特徴とする請求項２８に記載の方法。
【発明の詳細な説明】
【技術分野】
【０００１】
本発明は、ユーザデータが記録完了する度にディスク状態と関連した情報が新たに記録される光情報保存媒体及びその記録方法に関する。
【背景技術】
【０００２】
一般的に光情報保存媒体は、非接触式で情報を記録／再生する光ピックアップ装置の情報記録媒体として広く採用され、情報保存媒体の１種である光ディスクは情報記録容量によってコンパクトディスク（ＣＤ）、デジタル多機能ディスク（ＤＶＤ）に区分される。そして、記録、消去及び再生可能な光ディスクとしては、６５０ＭＢ  ＣＤ−Ｒ、ＣＤ−ＲＷ、４．７ＧＢ  ＤＶＤ  Ｒ／ＲＷ、ＤＶＤ−ＲＡＭなどがある。さらに、記録容量が２０ＧＢ以上のＨＤ−ＤＶＤも開発されている。
【０００３】
前記記録可能な光情報保存媒体のうち、特に追記型光情報保存媒体は、ＰＣのバックアップ用やＡ／Ｖ（オーディオ／ビデオ）用の光情報保存媒体として主に使われるが、物理的アドレス順にユーザデータが記録され、一度記録した所には、記録できないようになっている。したがって、記録の実行中に記録を止めれば、次に記録をしようとすれば、記録が最終的に完了した領域の次の領域から記録され始める。このように追記型光情報保存媒体に対しては複数回の記録が可能な光情報保存媒体とは異なる特性を有し、その特性に適した新たな物理的データ構造が規定される必要がある。
【発明の開示】
【発明が解決しようとする課題】
【０００４】
本発明は、前記問題点を解決するために案出されたものであって、データの記録が完了する度に最新のディスク状態に関する情報が新たに記録されてディスク状態に関する最新情報が分かり、次の記録時にピックアップが速かにアクセスできる光情報保存媒体及び記録方法を提供するところにその目的がある。
【課題を解決するための手段】
【０００５】
前記目的を達成するために本発明に係る光情報保存媒体は、ユーザデータ領域を除いた領域に再生専用領域と記録可能な領域とを備え、ユーザデータが記録完了する度に前記記録可能な領域にディスク状態に関する情報が新たに記録されることを特徴とする。
【０００６】
前記ディスク状態に関する情報は、新たなＯＰＣ（Ｏｐｔｉｍｕｍ  Ｐｏｗｅｒ  Ｃｏｎｔｒｏｌ）データが記録された領域のアドレス、最終ドライブ情報が記録された領域のアドレス、最終ユーザデータが記録された領域のアドレス及びユーザデータが記録された後に、付加記録が可能か否かを表す情報のうち少なくとも何れか１つでありうる。
【０００７】
前記ディスク状態に関する情報は、リードイン領域の記録可能な領域に記録されることが望ましい。前記ディスク状態に関する情報がアップデートされる時、ディスク状態に関する情報が最終的に記録された領域に後続して最新のディスク状態に関する情報が記録されることが望ましい。
【０００８】
前記目的を達成するために本発明に係る光情報保存媒体の記録方法は、記録ユーザデータ領域を除いた領域に再生専用領域と記録可能な領域とを備えた光情報保存媒体を記録する方法であって、ユーザデータを記録する段階と、ユーザデータが記録完了する度に前記記録可能な領域にディスク状態に関する情報を新たに記録する段階とを含むことを特徴とする。
【発明を実施するための最良の形態】
【０００９】
本発明に係る光情報保存媒体は、図１を参照するに、ユーザデータ領域を除いた領域に再生専用領域１０と記録可能な領域１５とを備える。ユーザデータ領域を除いた領域は、例えば、ディスク半径方向にユーザデータ内側に備えられるリードイン領域でありうる。再生専用領域１０には、ディスク種類、バージョンナンバー、ディスクサイズ、レイヤー数などのディスク関連情報が記録され、このような情報はディスク製造時よりピットまたはグルーブウォッブル形態に基板に記録されて再生だけが許容される。
【００１０】
記録可能な領域１５には最適のパワーコントロールのための情報が記録されるＯＰＣ領域１５−ａと、ディスク状態に関する情報が記録されるディスク領域１５−ｂ及びドライブ関連情報が記録されるドライブ領域１５−ｃが備えられる。前記ディスク状態に関する情報としては、例えば、新たなＯＰＣデータが記録された領域のアドレス、最終ドライブ情報が記録された領域のアドレス、最終ユーザデータが記録された領域のアドレス及びユーザデータが記録された後に、付加記録が可能か否かを表す情報のうち少なくとも何れか１つが記録されうる。
【００１１】
ＯＰＣ領域１５−ａには、ユーザデータが記録完了する度にユーザデータが記録及び／または再生される時、使われる記録及び／または再生パワーに関する情報が記録され、この情報を用いて最適の記録及び／または再生パワーで調節されうる。このパワーに関する情報として、記録が行われる度に記録時に使われるパワーに対応する新たなデータが記録される。特に、追記型光情報保存媒体の場合、新たなデータが記録される度に、以前に記録されていない新たな領域にＯＰＣデータが記録される。したがって、記録が完了した次に、再び新たな記録が行われる場合に、新たなＯＰＣデータが記録される領域を探さなければならない。これにより、迅速なサクセスのために新たに記録されたＯＰＣ領域のアドレスを所定領域に記録することが望ましい。このように、最終的にＯＰＣデータが記録された領域のアドレスをディスク領域１５ｂに記録し、次にデータを記録する時、ＯＰＣ領域全体を再生する必要なく最終ＯＰＣデータが記録された領域のアドレスを再生することによって、新たなＯＰＣ領域に速かにアクセスしうる。
【００１２】
一方、ドライブ領域１５−ｃには、ドライブ製造者関連情報、ドライブのシリアルナンバーのようなドライブ関連情報が記録される。ドライブ関連情報は、記録が行われる度に記録を行うドライブに関する情報が新たに記録される。したがって、ディスク状態に関する情報として最終ドライブ情報が記録された領域のアドレスを記録することが望ましい。このように最終ドライブ情報が記録された領域のアドレスを記録し、次に他のドライブ情報を記録する時、このアドレス情報を再生することによって、新たなドライブ情報を記録する位置を容易に探し出せる。
【００１３】
また、ユーザデータが記録されていて中断され、次に新たな記録が行われる時、ピックアップが記録の行われる領域を探してアクセスせねばならない。これに迅速なアクセスのために最終的にユーザデータが記録された領域のアドレスを所定領域に記録することが有利である。
【００１４】
このように最新のディスク関連情報が提供されていなければ、ユーザデータの記録時、ＯＰＣ領域１５ａ、ドライブ領域１５ｃまたはユーザデータ領域全体を再生せねばならないので、アクセス時間が相当多くかかるしかない。
【００１５】
次いで、ユーザデータの記録が完了した後、この最終記録領域に続いてデータが付け加えられて記録されうるか否かを記録することが望ましい。さらなる記録を行わせないためには記録が完了した後、付加記録が不可能であることを表すデータを記録し、次に付加記録が続くならば、最終記録領域に次いで記録が可能であることを表すデータを記録する。
【００１６】
前記のようなディスク状態に関する情報をデータの記録が完了する度にリードイン領域にある記録可能な領域１５の所定領域、例えば、ディスク領域１５ｂに記録し、次のデータ記録時に、このような情報を用いることによって、ピックアップがさらに正確かつ速かに該当領域にアクセスしうる。本発明は特に、追記型光情報保存媒体に有用に適用可能である。
【００１７】
ディスク状態に関する情報は、ディスク領域１５ｂの少なくとも１バイトずつを用いて記録できる。これらディスク状態に関する情報が記録されるバイトは、例えば物理的クラスター、ＥＣＣブロックまたはセクター単位にあるバイトでありうる。図２Ａを参照するに、ａ番目バイトポジションに新たに記録されたＯＰＣアドレスを記録し、ｂ番目バイトポジションに最終ドライブ情報が記録された領域のアドレスを記録し、ｃ番目バイトポジションに最終記録されたユーザ領域のアドレスを記録する。また、ｄ番目バイトポジションに記録が完了した後、付加記録が可能か否かに関する情報を記録しうる。これらディスク状態に関する情報は、各々１バイトずつを用いて記録されたが、１バイト以上を用いてデータを記録しても良い。
【００１８】
１バイトは、図２Ｂに示されたように第７ないし第０ビットｂ７、ｂ６、ｂ５、ｂ４、ｂ３、ｂ２、ｂ１、ｂ０より構成され、例えば１バイトに新たに記録されたＯＰＣアドレスが記録されうる。新たに記録されたＯＰＣアドレスは、ビット組合わせで記録されうる。例えば、第７ビットないし第４ビットｂ７、ｂ６、ｂ５、ｂ４を用いて０００１ｂ、００１０ｂ、００１１ｂのようなビット組合わせでアドレスを記録しうる。
【００１９】
その他に、それと同じ方法で最終ドライブ情報が記録された領域のアドレス、最終記録されたユーザ領域のアドレスを相異なるバイトポジションに記録する。また、付加記録可能性に関する情報を記録するに当って、例えば、００００００００ｂは付加記録が可能であることを、０００００００１ｂは付加記録が不可能であることを示すものと記録できる。
【００２０】
本発明によるディスク状態に関する情報は、ユーザデータが記録される度に新たにアップデータされて記録される。そして、ディスク状態に関する情報がアップデートされて記録される時、その前に記録された領域と異なる領域に記録されることが望ましい。すなわち、ディスク状態に関する情報が、先に記録された領域に重畳されて記録されないように、相異なる領域に記録させる。特に、ディスク状態に関する最新情報が記録される時、ディスク状態に関する情報が最終的に記録された領域に後続して記録されることが望ましい。一方、ディスク領域１５ｂ及びドライブ領域は各々１０００個以上の物理的クラスターより構成されうる。
【００２１】
本発明による光情報保存媒体の記録方法は、ユーザデータ領域を除いた領域、例えば、リードイン領域に再生専用領域と記録可能な領域とを備え、前記記録可能な領域にディスク状態に関する最新情報を記録する。まず、ユーザデータを記録し、前記ユーザデータが記録完了する度に前記記録可能な領域にディスク状態に関する情報を新たに記録する。そして、ディスク状態に関する新たな情報を記録する時には、ディスク状態に関する情報が最終的に記録された領域に後続して記録する。
【００２２】
ディスク状態に関する情報としては、例えば、新たなＯＰＣデータが記録された領域のアドレス、最終ドライブ情報が記録された領域のアドレス、最終ユーザデータが記録された領域のアドレス及びユーザデータが記録された後、付加記録が可能か否かを表す情報のうち少なくとも何れか１つでありうる。その他にユーザデータが記録完了される度に新たに記録される必要があるコントロールデータが記録される領域のアドレスがさらに記録されることもある。
【００２３】
本発明の実施例が図示されて説明されたが、本発明の原則と思想、そして特許請求の範囲及びその均等な範囲から外れないように実施例が当業者により変更されうる。
【産業上の利用可能性】
【００２４】
前述したように本発明に係る光情報保存媒体及び記録方法は、ユーザデータが記録完了する度に最新のディスク状態に関する情報が記録されるので、次に記録が行われる時ピックアップが正確な位置に速かに接近しうる。また、最新のディスク状態に関する情報を提供されてユーザデータを記録できるので記録／再生性能が向上しうる。
【図面の簡単な説明】
【００２５】
【図１】本発明に係る光情報保存媒体のデータ構造を概略的に示す図である。
【図２Ａ】本発明に係る光情報保存媒体にディスク状態に関する情報が記録された状態を示す図である。
【図２Ｂ】本発明に係る光情報保存媒体にディスク状態に関する情報を記録する方法を説明するための図である。
【図１】
2005534130.tif 000003
【図２Ａ】
2005534130.tif 000004
【図２Ｂ】
2005534130.tif 000005
【国際調査報告】
2005534130.tif 000006
2005534130.tif 000007